(57)【要約】【課題】消費電力を抑えたタッチパネル付表示装置を提供する。【解決手段】タッチパネル付液晶表示装置（１００）は、表示領域に配置された各画素に配置され、階調値に応じた電位が印加される複数の電極である画素電極２１４と、表示領域を横切るように一方向に延びる複数の電極である共通電極（Ｄ１〜Ｄｎ，Ｓ）と、表示領域を横切るように、一方向とは異なる方向に延び、パネル上の接触位置を検出する複数の電極である検出電極（２４０）と、画素電極及び共通電極により形成される電界により、配向が変化する液晶組成物からなる液晶層（２４４）と、パネル上の接触位置の検出を制御するための接触位置検出制御部（２６０）と、を備え、接触位置検出制御部は、所定期間接触が検出されない場合には、消費電力を抑えたモードによる接触位置の検出の制御を行なう、ことを特徴とする。【選択図】図２
2013232162.tif 000002
【特許請求の範囲】
【請求項１】
表示領域に配置された各画素に配置され、階調値に応じた電位が印加される複数の電極である画素電極と、
前記表示領域を横切るように一方向に延びる複数の電極である共通電極と、
前記表示領域を横切るように、前記一方向とは異なる方向に延び、パネル上の接触位置を検出する複数の電極である検出電極と、
前記画素電極及び前記共通電極により形成される電界により、配向が変化する液晶組成物からなる液晶層と、
パネル上の接触位置の検出を制御するための接触位置検出制御部と、を備え、
前記接触位置検出制御部は、所定期間接触が検出されない場合には、消費電力を抑えたモードによる接触位置の検出の制御を行なう、ことを特徴とするタッチパネル付液晶表示装置。
【請求項２】
請求項１に記載のタッチパネル付液晶表示装置であって、
前記共通電極は、
並置された一方向に延びる複数の電極であり、前記消費電力を抑えたモード以外の所定のモードにおいて、前記接触位置検出制御部により周期的に順次走査されて電圧が印加される第１電極と、
並置された一方向に延びる複数の電極であり、前記消費電力を抑えたモードにおいて、前記接触位置検出制御部により周期的に同時に電圧が印加される第２電極と、を有し、
前記第２電極の総面積は、前記第１電極の総面積よりも小さく、
前記接触位置検出制御部は、前記第２電極に印加された電圧により接触を検出した場合には、前記消費電力を抑えたモード以外のモードに戻る、ことを特徴とするタッチパネル付表示装置。
【請求項３】
請求項２に記載のタッチパネル付液晶表示装置であって、
前記第２電極の各々は、前記第１電極の各々の幅より細い前記一方向に延びる短冊状であり、前記第１電極と前記第２電極とは、互いに交互に配置されている、ことを特徴とするタッチパネル付液晶表示装置。
【請求項４】
請求項２又は３に記載のタッチパネル付液晶表示装置であって、
前記第２電極は、前記表示領域において、前記一方向に対して垂直な方向で前記表示領域の中央付近にのみ配置されている、ことを特徴とするタッチパネル付液晶表示装置。
【請求項５】
請求項２乃至４のいずれか一項に記載のタッチパネル付液晶表示装置であって、
前記第１電極及び前記第２電極に電圧を印加させるための配線には、前記第１電極及び前記第２電極の各電極に印加される電圧を均一化させるための負荷が挿入されている、ことを特徴とするタッチパネル付液晶表示装置。
【請求項６】
請求項２乃至５のいずれか一項に記載のタッチパネル付液晶表示装置であって、
一部の前記第１電極及び一部の前記第２電極へ電圧を印加させるための配線は、前記第１電極及び前記第２電極の前記一方向の一端に接続され、
他の前記第１電極及び他の前記第２電極へ電圧を印加させるための配線は、前記第１電極及び前記第２電極の前記一方向の他端に接続されている、ことを特徴とするタッチパネル付液晶表示装置。
【請求項７】
請求項２乃至６のいずれか一項に記載のタッチパネル付液晶表示装置であって、
前記第１電極及び前記第２電極へ電圧を印加させるための配線は、前記第１電極及び前記第２電極の前記一方向の一端及び他端の両方に接続されている、ことを特徴とするタッチパネル付液晶表示装置。
【請求項８】
請求項２乃至７のいずれか一項に記載のタッチパネル付液晶表示装置であって、
前記第１電極の少なくとも１つの電極は、前記一方向に開いたコの字型の形状であり、
前記第２電極は、前記第１電極の前記コの字型形状の間の開いた部分に配置されている、ことを特徴とするタッチパネル付液晶表示装置。
【発明の詳細な説明】
【技術分野】
【０００１】
本発明は、タッチパネル付液晶表示装置に係り、特に、タッチパネルを内部に有する液晶表示パネルに適用して有効な技術に関する。
【背景技術】
【０００２】
表示装置の表示画面上に重ねて配置されたタッチパネルを入力装置とした情報通信端末が広く用いられている。表示装置として一般的に普及している液晶表示装置は、薄膜トランジスタ基板（以下、「ＴＦＴ（Thin
Film Transistor）基板」という。）とカラーフィルタ基板の２つの基板の間に封じ込められた液晶組成物の配向を電界の変化により変え、液晶組成物を通過する光の透過度合いを制御することにより画像を表示させる装置である。このうち、ＴＦＴ基板側に画素電極と共通電極の両方が配置されるＩＰＳ（In Plane Switching）方式では、いわゆる横電界を形成し、視野角の広い表示を実現している。
【０００３】
タッチパネルは、使用者の指などを用いてタッチされたパネル上の座標を認識することにより、処理装置に処理を行なわせる入力装置である。タッチパネルには、タッチされた部分の抵抗値変化を検出する抵抗膜方式、タッチにより遮蔽された部分の光量変化を検出する光センサ方式、容量変化を検出する静電容量結合方式などが知られている。静電容量結合方式は、パネルの透過率が高く表示画質を低下させない点、他の電極との接触がなく耐久性が高い点等から広く用いられている。
【０００４】
近年、情報通信端末に対する小型化・薄型化・低消費電力化の要請により、タッチパネル付液晶表示装置もより薄型で消費電力の少ないものが求められている。特許文献１には、ＩＰＳ方式の液晶表示装置において、液晶表示装置の共通電極をタッチパネルの駆動電極として用いることにより、より薄型化されたタッチパネル付液晶表示装置が開示されている。
【先行技術文献】
【特許文献】
【０００５】
【特許文献１】特開２００９−２４４９５８号公報
【発明の概要】
【発明が解決しようとする課題】
【０００６】
タッチパネル付液晶表示装置を備える情報通信端末では、端末全体を統括する中央処理装置によりアプリケーションに対してアクセスが行われていない等が認識されると画面表示（バックライト）を停止すると共にタッチパネルの駆動走査を停止させ、消費電力を抑える、所謂スリープモードに移行するようにすることが多い。
【０００７】
近年の小型のタッチパネル付液晶表示装置を備える情報通信端末では、動画鑑賞など、画面を観ているだけで長時間タッチパネル操作を行わない使われ方をする機会も多くなってきているが、このような場合には、画面へのタッチ操作が行なわれないにも関わらず、表示装置とタッチパネルの両方で電力が消費されていた。
【０００８】
本発明は、上述の事情を鑑みてしたものであり、より消費電力を抑えたタッチパネル付表示装置を提供することを目的とする。
【課題を解決するための手段】
【０００９】
本発明のタッチパネル付液晶表示装置は、表示領域に配置された各画素に配置され、階調値に応じた電位が印加される複数の電極である画素電極と、前記表示領域を横切るように一方向に延びる複数の電極である共通電極と、前記表示領域を横切るように、前記一方向とは異なる方向に延び、パネル上の接触位置を検出する複数の電極である検出電極と、前記画素電極及び前記共通電極により形成される電界により、配向が変化する液晶組成物からなる液晶層と、パネル上の接触位置の検出を制御するための接触位置検出制御部と、を備え、前記接触位置検出制御部は、所定期間接触が検出されない場合には、消費電力を抑えたモードによる接触位置の検出の制御を行なう、ことを特徴とするタッチパネル付液晶表示装置である。
【００１０】
また、本発明のタッチパネル付液晶表示装置において、前記共通電極は、並置された一方向に延びる複数の電極であり、前記消費電力を抑えたモード以外の所定のモードにおいて、前記接触位置検出制御部により周期的に順次走査されて電圧が印加される第１電極と、並置された一方向に延びる複数の電極であり、前記消費電力を抑えたモードにおいて、前記接触位置検出制御部により周期的に同時に電圧が印加される第２電極と、を有し、前記第２電極の総面積は、前記第１電極の総面積よりも小さく、前記接触位置検出制御部は、前記第２電極に印加された電圧により接触を検出した場合には、前記消費電力を抑えたモード以外のモードに戻る、こととしてもよい。
【００１１】
また、本発明のタッチパネル付液晶表示装置において、前記第２電極の各々は、前記第１電極の各々の幅より細い前記一方向に延びる短冊状であり、前記第１電極と前記第２電極とは、互いに交互に配置されていてもよい。
【００１２】
また、本発明のタッチパネル付液晶表示装置において、前記第２電極は、前記表示領域において、前記一方向に対して垂直な方向で前記表示領域の中央付近にのみ配置されていてもよい。
【００１３】
また、本発明のタッチパネル付液晶表示装置において、前記第１電極及び前記第２電極に電圧を印加させるための配線には、前記第１電極及び前記第２電極の各電極に印加される電圧を均一化させるための負荷が挿入されていてもよい。
【００１４】
また、本発明のタッチパネル付液晶表示装置において、一部の前記第１電極及び一部の前記第２電極へ電圧を印加させるための配線は、前記第１電極及び前記第２電極の前記一方向の一端に接続され、他の前記第１電極及び他の前記第２電極へ電圧を印加させるための配線は、前記第１電極及び前記第２電極の前記一方向の他端に接続されていてもよい。
【００１５】
また、本発明のタッチパネル付液晶表示装置において、前記第１電極及び前記第２電極へ電圧を印加させるための配線は、前記第１電極及び前記第２電極の前記一方向の一端及び他端の両方に接続されていてもよい。
【００１６】
また、本発明のタッチパネル付液晶表示装置において、前記第１電極の少なくとも１つの電極は、前記一方向に開いたコの字型の形状であり、前記第２電極は、前記第１電極の前記コの字型形状の間の開いた部分に配置されていてもよい。
【図面の簡単な説明】
【００１７】
【図１】本発明の第１実施形態に係るタッチパネル付液晶表示装置について示す図である。
【図２】図１のタッチパネル付液晶表示パネル内のＴＦＴ基板について概略的に示す平面図である。
【図３】図２のIII−III線における断面を概略的に示す図である。
【図４】駆動ＩＣが管理するタッチパネル機能の状態遷移を示す図である。
【図５】通常モード時におけるスリープモード解除用電極及び駆動電極に印加される電圧のタイミングチャートである。
【図６】スリープモード時におけるスリープモード解除用電極及び駆動電極に印加される電圧のタイミングチャートである。
【図７】本発明の第２実施形態に係るタッチパネル付液晶表示装置のタッチパネル付液晶表示パネルにおけるＴＦＴ基板について概略的に示す平面図である。
【図８】本発明の第３実施形態に係るタッチパネル付液晶表示装置のタッチパネル付液晶表示パネルにおけるＴＦＴ基板について概略的に示す平面図である。
【図９】本発明の第４実施形態に係るタッチパネル付液晶表示装置のタッチパネル付液晶表示パネルにおけるＴＦＴ基板について概略的に示す平面図である。
【図１０】本発明の第５実施形態に係るタッチパネル付液晶表示装置のタッチパネル付液晶表示パネルにおけるＴＦＴ基板について概略的に示す平面図である。
【図１１】本発明の第６実施形態に係るタッチパネル付液晶表示装置のタッチパネル付液晶表示パネルにおけるＴＦＴ基板について概略的に示す平面図である。
【図１２】図１１の駆動電極及びスリープモード解除用電極を拡大して示す図である。
【図１３】本発明が適用されるタッチパネル付液晶表示装置の基本構成を示す図である。
【図１４】図１３の構成のうち、ＴＦＴ基板部分の詳細構成を示した図である。
【図１５】図１３の構成のうち、カラーフィルタ基板部分の詳細構成を示した図である。
【図１６】図１３の構成においての詳細な断面構成を示した図である。
【発明を実施するための形態】
【００１８】
以下、本発明の実施形態について、図面を参照しつつ説明する。なお、図面において、同一又は同等の要素には同一の符号を付し、重複する説明を省略する。
【００１９】
［第１実施形態］
図１は、本発明の第１実施形態に係るタッチパネル付液晶表示装置１００について示す図である。この図に示されるように、タッチパネル付液晶表示装置１００は、タッチパネル付液晶表示パネル２００と、タッチパネル付液晶表示パネル２００を挟むように固定する上フレーム１０１及び下フレーム１０２と、により構成されている。
【００２０】
図２には、タッチパネル付液晶表示パネル２００内の薄膜トランジスタ基板（以下、「ＴＦＴ（Thin Film Transistor）基板」という。）２１０について概略的に示す平面図である。この図に示されるように、ＴＦＴ基板２１０は、表示のための画素がマトリクス状の配置された表示領域２５０と、表示領域２５０を横切るように一方向に延びる複数の電極であり、液晶表示機能において共通電極として作用し、通常モード時にタッチ位置を検出するための電圧が順次印加される駆動電極Ｄ１〜Ｄｎと、同じく液晶表示機能における共通電極であって、タッチパネル機能の消費電力を抑えたモードであるスリープモード時に画面にタッチがなされたかどうかを検出するためのスリープモード解除用電極Ｓと、駆動電極Ｄ１〜Ｄｎ及びスリープモード解除電極Ｓへの電圧印加を制御し、パネル上の接触位置の検出するための接触位置検出制御部である駆動ＩＣ（Integrated Circuit）２６０と、を備えており、駆動ＩＣ２６０と駆動電極Ｄ１〜Ｄｎとは、駆動電極Ｄ１〜Ｄｎの短冊形状の一端側（図の右側）から駆動電極配線２２２により接続され、駆動ＩＣ２６０とスリープモード解除用電極Ｓとは、スリープモード解除用電極Ｓの短冊形状の他端側（図の左側）からスリープモード解除用電極配線２３２により接続されている。
【００２１】
また、駆動電極Ｄ１〜Ｄｎ及びスリープモード解除電極Ｓに印加された電圧と容量を形成し、タッチを検出する検出電極２４０は、表示領域２５０を横切るように、上述の一方向とは異なる方向に延びる複数の電極で、ＴＦＴ基板２１０とは異なるカラーフィルタ基板２４２（図３参照）に形成され、ＦＰＣ（Flexible Printed Circuits）等を介して、駆動ＩＣ２６０に接続されている。
【００２２】
ここで、スリープモード解除用電極Ｓ及び駆動電極Ｄ１〜Ｄｎは、表示領域２５０を覆うように交互に配置され、スリープモード解除用電極Ｓの総面積は、駆動電極Ｄ１〜Ｄｎの総面積より小さく形成されている。
【００２３】
図３は、図２のIII−III線における断面を概略的に示す図である。この図に示されるように、ＴＦＴ基板２１０には、画素電極２１４、駆動電極Ｄｎ及び駆動電極Ｄｎと同じ層に不図示のスリープモード解除用電極Ｓがそれぞれ絶縁膜を介して形成され、カラーフィルタ基板２４２上には検出電極２４０が形成されている。また、ＴＦＴ基板２１０及びカラーフィルタ基板２４２の間には、画素電極２１４と、駆動電極Ｄ１〜Ｄｎ及びスリープモード解除用電極Ｓにより構成される共通電極とにより形成される電界により、配向が変化する液晶組成物が封止された液晶層２４４が形成されている。
【００２４】
図４は、駆動ＩＣ２６０が管理するタッチパネル機能の状態遷移を示す図である。この図に示されるようにタッチパネル機能には、指等が画面にタッチされた際に座標検出を行なうことのできる通常モードＳ１と、通常モードＳ１より消費電力を抑えたスリープモードＳ２を有している。通常モードＳ１時には、画面にタッチがあり、検出電極２４０で容量変化を検出した際には、所定の処理を行ない、通常モードＳ１を維持する。一方、所定期間容量変化を検出しない場合には、スリープモードＳ２に移行する。スリープモードＳ２では、検出電極２４０で容量変化を検出した際には、通常モードＳ１に移行する。
【００２５】
図５には、通常モードＳ１におけるスリープモード解除用電極Ｓ及び駆動電極Ｄ１〜Ｄｎに印加される電圧のタイミングチャートが示されている。このタイミングチャートに示されるように、通常モードＳ１時には、駆動ＩＣ２６０は、１フレーム毎に駆動電極Ｄ１〜Ｄｎに対して駆動電圧を順次印加して走査する。この時に検出電極２４０において容量変化を検出した場合には、タッチ位置（座標）を算出し、不図示の処理装置に位置情報を通知するという動作を繰り返す。一方で、通常動作での消費電力を極力抑える目的で、スリープモード解除用電極Ｓには電圧は印加されなくても良い。また、１フレームの期間は、画面表示に用いられる１フレームと同じ期間であってもよいし、タッチパネル機能における独自の期間であってもよい。
【００２６】
図６には、スリープモードＳ２におけるスリープモード解除用電極Ｓ及び駆動電極Ｄ１〜Ｄｎに印加される電圧のタイミングチャートが示されている。このタイミングチャートに示されるように、駆動ＩＣ２６０は、１フレーム毎にスリープモード解除用電極Ｓに対して一斉に電圧を印加する。この電圧印加において、容量変化が検出されない場合にはそのままスリープモードＳ２を維持し、容量変化が検出された場合には、通常モードＳ１に移行する。
【００２７】
上述したように、本実施形態においては、タッチパネル機能において独立した省電力のモードであるスリープモードを有するため、タッチが検出されないときには、消費電力を抑えた運用を行なうことができる。
【００２８】
また、本実施形態においては、スリープモード解除用電極Ｓの総面積が、駆動電極Ｄ１〜Ｄｎの総面積より小さいため、スリープモードＳ２時に消費される電力を小さくすることができる。更に、スリープモードＳ２時にタッチ（容量変化）を検出した場合に、すぐに通常モードＳ１に移行して、タッチ位置の座標を算出することができるため、利用者にスリープモードＳ２であることを感じさせることなく電力消費のより小さい駆動が可能である。
【００２９】
［第２実施形態］
図７には、本発明の第２実施形態に係るタッチパネル付液晶表示装置のタッチパネル付液晶表示パネル３００におけるＴＦＴ基板３１０について概略的に示す平面図である。第１実施形態との違いは、スリープモード解除用電極Ｓの配置のされ方であり、この図に示されるように、スリープモード解除用電極Ｓは、表示領域２５０において、その電極が延びる方向に垂直な方向で表示領域２５０の中央付近にのみ配置されている点である。
【００３０】
このように、スリープモード解除用電極Ｓを配置することにより、スリープモード解除用電極Ｓの総面積を更に小さくすることができるため、スリープモードＳ２時の消費電力をより低減することができる。また、利用者は画面の中央付近にタッチすることにより、タッチパネル機能のスリープモードＳ２を解除されるため、利用者にスリープモードＳ２であることを感じさせることなく、容易にスリープモードＳ２を解除することができる。
【００３１】
［第３実施形態］
図８には、本発明の第３実施形態に係るタッチパネル付液晶表示装置のタッチパネル付液晶表示パネル４００におけるＴＦＴ基板４１０について概略的に示す平面図である。第１実施形態との違いは、駆動電極Ｄ１〜Ｄｎに電圧を印加する複数の駆動電極配線４２２にはそれぞれ抵抗４４２が挿入され、スリープモード解除用電極Ｓに電圧を印加する複数のスリープモード解除用電極配線４３２にも抵抗４４４が挿入されている点である。これらの抵抗の抵抗値は、各電極に印加される電圧が同じになるように定められる。
【００３２】
このように抵抗を配置することにより、駆動電極Ｄ１〜Ｄｎ及びスリープモード解除用電極Ｓに電圧が印加された際に、各電極に印加される電圧が同程度となるため、駆動電極Ｄ１〜Ｄｎ及びスリープモード解除用電極Ｓに電圧が印加された際に、表示される画像の画質に影響を与えたとしても、その影響は画面全体に渡って同程度となり、利用者が表示画像に対して違和感を感じないものにすることができる。
【００３３】
［第４実施形態］
図９には、本発明の第４実施形態に係るタッチパネル付液晶表示装置のタッチパネル付液晶表示パネル５００におけるＴＦＴ基板５１０について概略的に示す平面図である。第１実施形態との違いは、駆動電極Ｄ１〜Ｄｎのうち、駆動電極Ｄ１を含む上位半分の駆動電極に対する駆動電極配線５２２と駆動電極Ｄｎを含む下位半分の駆動電極に対する駆動電極配線５２４とは、駆動電極Ｄ１〜Ｄｎの短冊形状において、互いに異なる端部に接続されている点である。また、これらの各駆動電極Ｄ１〜Ｄｎの間に配置されたスリープモード解除用電極Ｓにおいても同様に、上位半分のスリープモード解除用電極Ｓに接続されたスリープモード解除用電極配線５３２と下位半分のスリープモード解除用電極Ｓに接続されたスリープモード解除用電極配線５３４とは、スリープモード解除用電極Ｓの短冊形状において、互いに異なる端部に接続されている。
【００３４】
このような接続とすることにより、表示領域とＴＦＴ基板５１０の端から表示領域２５０までの距離である額縁を小さくすることができると共に、左右の額縁の大きさを同程度の大きさとすることができる。なお、本実施形態において、左右の端部に接続される配線は、電極の上位半分と下位半分で分けることとしたが、上位から下位に渡って交互に左右の端部から配線されるようにしてもよいし、その他の方法により左右に配線を振り分けるようにしてもよい。
【００３５】
［第５実施形態］
図１０には、本発明の第５実施形態に係るタッチパネル付液晶表示装置のタッチパネル付液晶表示パネル６００におけるＴＦＴ基板６１０について概略的に示す平面図である。ここで、駆動電極Ｄ１〜Ｄｎと駆動ＩＣ２６０とは、駆動電極配線６２２及び６２４により、駆動電極Ｄ１〜Ｄｎの短冊形状における両端に接続されており、スリープモード解除用電極Ｓと駆動ＩＣ２６０とは、スリープモード解除用電極配線６３２及び６３４により、スリープモード解除用電極Ｓの短冊形状における両端に接続されている点で第１実施形態と異なっており、更に、各駆動電極配線６２２及び６２４には抵抗６４２が挿入され、各スリープモード解除用電極配線６３２及び６３４には抵抗６４４が挿入されている。これらの抵抗の抵抗値は、各電極に印加される電圧が同じになるように定められる。
【００３６】
このようにすることにより、各電極の両端の電位を均等にすることができるとともに、抵抗が挿入されることにより各電極で印加される電位を均等にすることができるため、駆動電極Ｄ１〜Ｄｎ及びスリープモード解除用電極Ｓに電圧が印加された際にも、表示される画像の画質に影響を与えたとしても、その影響は画面全体に渡って同程度となり、利用者が表示画像に対して違和感を感じないものにすることができる。また、一方の端の駆動電極配線６２２及びスリープモード解除用電極配線６３２の本数と、他方の端の駆動電極配線６２４及びスリープモード解除用電極配線６３４の本数とが同程度であるため、両端の額縁の大きさを同程度の大きさとすることができる。
【００３７】
［第６実施形態］
図１１には、本発明の第６実施形態に係るタッチパネル付液晶表示装置のタッチパネル付液晶表示パネル７００におけるＴＦＴ基板７１０について概略的に示す平面図である。第１実施形態では、駆動電極Ｄ１〜Ｄｎとスリープモード解除用電極Ｓとは交互に並んで配置されていたが、本実施形態においては、図１２に示されるように、平面的視野において駆動電極Ｄ１〜Ｄｎはコの字の形状となっており、駆動電極Ｄ１〜Ｄｎのコの字の形状の開いた部分にスリープモード解除用電極Ｓが挿入されるように配置されている。
【００３８】
このような構成とすることで、特に通常モードＳ１における駆動電極Ｄ１〜Ｄｎの走査において、表示される画像の画質に与える影響は画面全体に一様となり、利用者が表示画像に対して違和感を感じないものにすることができる。
【００３９】
なお、上述の実施形態においては、状態を通常モード及びスリープモードの２種類としたが、消費電力を抑えた状態を有していれば、他の状態（モード）を含んでいてもよい。
【００４０】
以上説明したように、上述の各実施形態によれば、表示装置の共通電極をタッチパネルの駆動電極とするタッチパネル付表示装置において、より消費電力を抑えることができる。
【００４１】
図１３は、本発明が適用されるタッチパネル付液晶表示パネル２００の基本構成を示す概略図である。同図に示すように、タッチパネル付液晶表示パネル２００は、駆動ＩＣ２６０（図１３上では、液晶表示用駆動機能とタッチパネル駆動機能を内蔵した駆動ＩＣとしている。機能毎のＩＣがフレキシブル基板７０上やＴＦＴ基板１上に分割されて実装されている場合もある）と、フレキシブル基板７０と、検出電極接続用フレキシブル基板７１と、コネクタ８０と、フロントパネル４０と、収納ケース（図示せず）、バックライト（図示せず）とから構成される。タッチパネル付液晶表示装置は、フレキシブル基板７０を介して外部装置から信号を受給し、液晶表示及び、タッチ検出の機能を有する。
【００４２】
タッチパネル付液晶表示パネルは、ＴＦＴ基板１と、カラーフィルタ基板２とを有し、ＴＦＴ基板１とカラーフィルタ基板２とは所定の間隙を隔てて重ね合わせ、該両基板間の周縁部近傍に枠状に設けたシール材（図示せず）により、両基板を貼り合わせると共に、シール材の内側に液晶組成物を封入、封止し、さらに、両基板の外側に偏光板を貼り付けて構成される。
【００４３】
なお、タッチパネル付液晶表示パネルは、多数の画素をマトリクス状に備えた表示部を有しており、ＴＦＴ基板１上の駆動電極２１は表示部においては画素電極と対向して配置され、共通電極としても作用する。画像表示においては、画素電極と共通電極間に電圧を印加することで液晶分子の配向を変化させ、この液晶分子の配向の変化に伴い、光の透過率が変化することで画像が表示される。
【００４４】
次に図１４を用いて、ＴＦＴ基板１の詳細構成について説明する。ＴＦＴ基板１には、駆動電極２１と、駆動ＩＣ２６０から駆動電極２１に接続された駆動電極信号線２２が設けられている。駆動電極２１には、タッチパネル駆動信号が駆動ＩＣ２６０から駆動電極信号線２２を介して伝えられる。本発明では駆動電極２１に併設してスリープモード解除用電極２３が設けられている。また、ＴＦＴ基板１には駆動電極信号線２２以外にも駆動回路用入力端子２５のような様々な配線、端子等が形成される。
【００４５】
次に図１５を用いて、カラーフィルタ基板２の詳細構成について説明する。カラーフィルタ基板２には、検出電極３１と外部接続端子３３と、検出電極３１と外部接続端子を接続する検出電極信号線３２が設けられている。検出電極３１からの検出信号は、図１３に示すように検出電極接続用フレキシブル基板７１、コネクタ８０、フレキシブル基板７０を介して駆動ＩＣ２６０に伝えられる。その後、検出信号からの情報により駆動ＩＣ２６０にて位置検出を行った後、位置情報はフレキシブル基板７０を介して外部中央演算装置（図示せず）に伝達される。なお、検出電極３１の両側にはダミー電極３４が形成されている。
【００４６】
表示部の断面の一部を拡大した概略断面図を図１６に示す。図１６に示すようにＴＦＴ基板１には画素部９０が設けられており駆動電極２１は画素の一部として画像表示に用いられる。また、ＴＦＴ基板１とカラーフィルタ基板２との間には液晶組成物が狭持されている。ここで、カラーフィルタ基板２に設けられた検出電極３１とＴＦＴ基板１に設けられた駆動電極２１とは容量を形成しており、駆動電極２１に駆動信号が印加されると検出電極３１の電圧が変化する。この時、図１６に示すようにフロントパネル４０を介して指等の導電体９５が近接または接触すると容量に変化が生じ、検出電極３１に生じる電圧に近接・接触が無い場合に比較して変化が生じる。
【００４７】
このように、タッチパネル付液晶表示パネルに形成した駆動電極２１と検出電極３１との間に生じる容量の変化を検出することで、従来の液晶表示パネルにタッチパネルの機能を備えることが可能となる。
【符号の説明】
【００４８】
１００  タッチパネル付液晶表示装置、１０１  上フレーム、１０２  下フレーム、２００  タッチパネル付液晶表示パネル、２１０  ＴＦＴ基板、２１４  画素電極、２２２  駆動電極配線、２３２  スリープモード解除用電極配線、２４０  検出電極、２４２  カラーフィルタ基板、２４４  液晶層、２５０  表示領域、２６０  駆動ＩＣ、３００  タッチパネル付液晶表示パネル、３１０  ＴＦＴ基板、４００  タッチパネル付液晶表示パネル、４１０  ＴＦＴ基板、４２２  駆動電極配線、４３２  スリープモード解除用電極配線、４４２，４４４  抵抗、５００  タッチパネル付液晶表示パネル、５１０  ＴＦＴ基板、５２２  駆動電極配線、５２４  駆動電極配線、５３２  スリープモード解除用電極配線、５３４  スリープモード解除用電極配線、６００  タッチパネル付液晶表示パネル、６１０  ＴＦＴ基板、６２２，６２４  駆動電極配線、６２４  駆動電極配線、６３２，６３４  スリープモード解除用電極配線、６４２，６４４  抵抗、７００  タッチパネル付液晶表示パネル、７１０  ＴＦＴ基板、１  ＴＦＴ基板、２  カラーフィルタ基板、２１  駆動電極、２２  駆動電極信号線、２５  駆動回路用入力端子、３１  検出電極、３２  検出電極信号線、３３  外部接続端子、３４  ダミー電極、４０  フロントパネル、７０  フレキシブル基板、７１  検出電極接続用フレキシブル基板、８０  コネクタ、９０  画素部、９５  指。
【図１】
2013232162.tif 000003
【図２】
2013232162.tif 000004
【図３】
2013232162.tif 000005
【図４】
2013232162.tif 000006
【図５】
2013232162.tif 000007
【図６】
2013232162.tif 000008
【図７】
2013232162.tif 000009
【図８】
2013232162.tif 000010
【図９】
2013232162.tif 000011
【図１０】
2013232162.tif 000012
【図１１】
2013232162.tif 000013
【図１２】
2013232162.tif 000014
【図１３】
2013232162.tif 000015
【図１４】
2013232162.tif 000016
【図１５】
2013232162.tif 000017
【図１６】
2013232162.tif 000018